(57)【特許請求の範囲】
【請求項１】
交流電源を供給する電源供給部と、前記電源供給部からの交流電源に基づいて高電圧を発生させる高圧変圧器と、前記高圧変圧器で発生される前記高電圧によってマイクロ波を発生させるマグネトロンと、パルス幅によってマグネトロンの発振開始時間を制御する制御信号を発生する制御信号発生部と、を有する電子レンジの制御方法において、
基準発振時間を初めて発振する前記マグネトロンの発振開始時間に設定する段階と；
前記制御信号によって前記マグネトロンの発振が開始される時間を測定する段階と；
前記基準発振時間と前記測定された発振開始時間とを比べる段階と；
前記基準発振時間が前記測定された発振開始時間より大きい場合、前記制御信号のパルス幅を減らす段階と；を含むことを特徴とする電子レンジの制御方法。
【請求項２】
前記基準発振時間を設定する段階では、
任意の発振時間を設定する段階と；
初めて発振する前記マグネトロンの発振開始時間を測定する段階と；
前記任意の発振時間と前記発振開始時間とを比べる段階と；
前記任意の発振時間が前記発振開始時間と異なる場合、前記任意の発振時間を前記発振開始時間と一致するように調節して前記基準発振時間に設定する段階と；をさらに含むことを特徴とする請求項１に記載の電子レンジの制御方法。
【請求項３】
前記任意の発振時間と前記発振開始時間とが一致すると、前記任意の発振時間を前記基準発振時間に設定する段階をさらに含むことを特徴とする請求項２に記載の電子レンジの制御方法。
【請求項４】
交流電源を供給する電源供給部と、前記電源供給部からの交流電源によって高電圧を発生させる高圧変圧器と、前記高圧変圧器で発生される前記高電圧によってマイクロ波を発生させるマグネトロンと、を有する電子レンジにおいて、
パルス幅によってマグネトロンの発振開始時間を制御する制御信号を発生する制御信号発生部と；
前記制御信号によって前記マグネトロンの発振が開始される時間をカウントするカウンターと；
前記カウンターでカウントされた前記発振開始時間が初めて発振する前記マグネトロンの発振開始時間に設定された基準発振時間より小さい場合、前記制御信号のパルス幅を減らす制御部と；を含むことを特徴とする電子レンジ。
【請求項５】
前記制御部は、任意の発振時間と前記マグネトロンの発振開始時間とを比べて、前記任意の発振時間が前記発振開始時間と異なる場合、前記任意の発振時間を前記発振開始時間と一致するように調節して前記基準発振時間に設定することを特徴とする請求項４に記載の電子レンジ。
【請求項６】
前記制御部は、前記任意の発振時間と前記発振開始時間とが一致すると、前記任意の発振時間を前記基準発振時間に設定することを特徴とする請求項５に記載の電子レンジ。
【発明の詳細な説明】
【０００１】
【発明の属する技術分野】
本発明は、電子レンジ及びその制御方法に係り、特に、マグネトロンの発振タイムに基づいて制御信号発生部を調節する電子レンジ及びその制御方法に関する。
【０００２】
【従来の技術】
一般に、電子レンジの動作原理は次の通りである。電源供給部から供給された交流電源が鉄心型高圧変圧器の１次側コイルに印加されて２次側コイルに高電圧を発生させる。高圧変圧器の２次側コイルに発生された高電圧は、マグネトロンに設けられている陰極フィラメントを加熱し、印加された高電圧により発振されたマグネトロンから超短波エネルギーが放射される。超短波エネルギーは閉鎖された一定の空間内で水分または水分を含んだ対象物（例えば、食物材料等）に会うと熱エネルギーに変換されて調理が行われる。
【０００３】
図５は従来の電子レンジによる概略的な制御ブロック図である。図面に示したように、従来の電子レンジは、交流電源を供給する電源供給部１０１と、高圧変圧器１０７で発生された高電圧によりマイクロ波を発生させるマグネトロン１０９と、交流電源を整流及び平滑する整流平滑部１０３と、整流平滑部１０３を経た直流電源を高周波の交流電源に変換するインバーター部１０５と、電源供給部１０１から整流平滑部１０３とインバーター部１０５を経て供給された交流電源によって高電圧を生成する高圧変圧器１０７と、制御信号を発生する制御信号発生部１２７と、インバーター部１０５と信号発生部１０７との間に介在された制御部１１５と、を有する。
【０００４】
制御部１１５は、制御信号発生部１２７から発生された制御信号及び共振検出部１２１で検出された制御信号をアナログ信号に変換して出力制御部１１９に変換された制御信号を印加するＤ／Ａ変換部１２５と、共振検出部１２１で検出された制御信号の周波数を制御して出力する出力制御部１１９と、出力制御部１１９で出力された制御信号の周波数に従って制御信号の周期を可変してインバーター部１０５に入力する発振部１１７と、を有する。制御部１１５は、信号発生部１２７で発生された制御信号に従って発振部１１７のオン・オフを制御し発振部１１７のソフトスタートを制御するオン・オフスタート部１２３をさらに有する。
【０００５】
以下、従来の制御ブロック図によるグラフである図６を参照して説明する。図面に示したように、従来の電子レンジにおいては、製品を出荷してから初めてマグネトロン１０９を駆動させたり、所定の時間以上にマグネトロン１０９を駆動させないコールド（Ｃｏｌｄ）状態とマグネトロン１０９のフィラメントが一定温度以上に加熱されているホット（Ｈｏｔ）状態とで、同じパルス幅を有する制御信号をマグネトロン１０９に印加する。
【０００６】
ところが、このようにホット状態とコールド状態とで同じ制御信号を印加する場合には、マグネトロンのフィラメントが一定温度以上に加熱されているホット状態で大きい電流が印加されて、一時的なサージ（ｓｕｒｇｅ）現象が発生する。即ち、過電流または過電圧状態が起こることにより、回路の安定性が落ちるという問題点を有している。また、マグネトロンに過負荷が掛かるので一時的なノイズが発生することもある。
【０００７】
【発明が解決しようとする課題】
従って、本発明の目的は、マグネトロンの発振開始時間に基づいてサージ及びノイズを押さえることができる電子レンジ及びその制御方法を提供することである。
【０００８】
【課題を解決するための手段】
本発明は、前記課題を解決するため、交流電源を供給する電源供給部と、前記電源供給部からの交流電源に基づいて高電圧を発生させる高圧変圧器と、前記高圧変圧器で発生される前記高電圧によってマイクロ波を発生させるマグネトロンと、前記マグネトロンに制御信号を印加する制御信号発生部と、を有する電子レンジの制御方法において、基準発振時間を設定する段階と；前記制御信号によって前記マグネトロンの発振が開始される時間を測定する段階と；前記基準発振時間と前記発振開始時間とを比べる段階と；前記基準発振時間が前記発振開始時間より大きい場合、前記制御信号のパルス幅を調節する段階と；を含むことを特徴とする電子レンジの制御方法によって達成される。
【０００９】
前記基準発振時間を設定する段階では、任意の発振時間を設定する段階と、前記マグネトロンの発振開始時間を測定する段階と、前記任意の発振時間と前記発振開始時間とを比べる段階と、前記任意の発振時間が前記発振開始時間と異なる場合、前記任意の発振時間を前記発振開始時間と一致するように調節して前記基準発振時間に設定する段階と、をさらに含むことが好ましい。
【００１０】
前記任意の発振時間と前記発振開始時間とが一致すると、前記任意の発振時間を前記基準発振時間に設定する段階をさらに含むことが効果的である。
【００１１】
また、本発明の他の分野による、本発明の目的は、交流電源を供給する電源供給部と、前記電源供給部からの交流電源によって高電圧を発生させる高圧変圧器と、前記高圧変圧器で発生される前記高電圧によってマイクロ波を発生させるマグネトロンと、を有する電子レンジにおいて、所定のパルス幅を有する制御信号を発生する制御信号発生部と；前記制御信号によって前記マグネトロンの発振が開始される時間をカウントするカウンターと；前記カウンターでカウントされた前記発振開始時間が所定の基準発振時間より小さい場合、前記制御信号のパルス幅を調節する制御部と；を含むことを特徴とする電子レンジによっても達成される。
【００１２】
前記制御部は、任意の発振時間と前記マグネトロンの発振開始時間とを比べて、前記任意の発振時間が前記発振開始時間と異なる場合、前記任意の発振時間を前記発振開始時間と一致するように調節して前記基準発振時間に設定することが好ましい。
【００１３】
前記制御部は、前記任意の発振時間と前記発振開始時間とが一致すると、前記任意の発振時間を前記基準発振時間に設定することが効果的である。
【００１４】
【発明の実施の形態】
以下、図面を参照して本発明を詳しく説明する。
図１は本発明による電子レンジの制御ブロック図である。この図面に示したように、本電子レンジは、交流電源を供給する電源供給部１と、電源供給部１で供給された交流電源によって高電圧を生成する高圧変圧器７と、高圧変圧器７で発生された高電圧によってマイクロ波を発生させるマグネトロン９と、高圧変圧器７に入力される入力電源の電流値が所定の許容電流値を超過するか否かを判断する電流検出部１３と、電流値が許容電流値を超過する場合にマグネトロン９に入力される入力電源を遮断してマグネトロン９を所定の休止時間の間に休止させてから再開始させる電源制御部１１と、を有する。
【００１５】
また、本電子レンジは、交流電源を整流及び平滑する整流平滑部３と、整流平滑部３を経た直流電源を高周波の交流電源に変換するインバーター部５と、制御信号を発生する制御信号発生部２７と、電流検出部１３を通じて整流平滑部３を経た直流電源の電流値が所定の許容電流値を超過するか否かを判断し、直流電源の電流値が許容電流値を超過する場合、マグネトロン９に入力される入力電源を遮断してマグネトロン９を所定の休止時間の間に休止させてから再開させる制御部１５と、をさらに有する。
【００１６】
本電子レンジは、制御信号発生部２７で発生された制御信号によってマグネトロン９の発振が開始される時間をカウントするカウンター２９をさらに含み、制御部１５はカウンター２９でカウントされた発進開始時間が所定の基準発振時間より小さい場合、制御信号のパルス幅を調節する。
【００１７】
制御部１５は、制御信号発生部２７で発生された制御信号及び共振検出部２１で検出された制御信号をアナログ信号に変換し出力制御部１９に変換された制御信号を印加するＤ／Ａ変換部２５と、共振検出部２１で検出された制御信号の周波数を制御して出力する出力制御部１９と、出力制御部１９で出力された制御信号の周波数に従って制御信号の周期を可変してインバーター部５に入力する発振部１７と、を有する。制御部１５は、制御信号発生部２７で発生された制御信号に従って発振部１７のオン・オフを制御し、発振部１７のオン・オフ及びソフトスタートを制御するオン・オフスタート部２３と、をさらに有する。
【００１８】
図２は本発明による制御フローチャートであり、図３は図２の基準発振時間を設定する段階の詳細制御フローチャートである。これら図面に示したように、まず、ユーザーが基準発振時間を設定する（Ｓ１１）。制御信号発生部２７で制御信号が発生されば、制御部１５はマグネトロン９の発振のため電源供給部１で供給される電源と発生された制御信号をマグネトロン９に印加する（Ｓ１３）。カウンター２９では、制御信号を印加してからマグネトロン９の発振が開始されるまでの時間をカウントする（Ｓ１５）。制御部１５ではカウンター２９でカウントされた発振開始時間が基準発振時間より小さいか否かを比べる（Ｓ１７）。発振開始時間が基準発振時間より小さいと、制御部１５では制御信号発生部２７で発生される制御信号のパルス幅を小さく調節する（Ｓ１９）。パルス幅が調節されば、調節された制御信号をマグネトロン９に印加する（Ｓ２１）。
【００１９】
Ｓ１７段階で制御部１５は、発振開始時間が基準発振時間より小さくなければ、基準発振時間が発振開始時間と同じであるか否かを比べて（Ｓ２３）、基準発振時間と発振開始時間が同一ならば、発生された制御信号をマグネトロン９に印加する（Ｓ２５）。Ｓ２３段階で基準発振時間が発振開始時間と同一ではなければ、制御部１５は発振開始時間が基準発振時間より大きいと判断して基準発振時間を設定する段階にリターンする（Ｓ２７）。
【００２０】
Ｓ１１段階、即ち、基準発振時間を設定する段階では、図３に示したように、任意の発振時間を設定する（Ｓ３１）。任意の発振時間が設定されば、製品を出荷してから初めて発振するマグネトロン９の発振開始時間を測定する（Ｓ３３）。制御部１５では任意の発振時間を発振開始時間と比べて（Ｓ３５）、任意の発振時間が発振開始時間より大きい場合、任意の発振時間を発振開始時間と一致するように短く調節する。調節された任意の発振時間を基準発振時間に設定して（Ｓ３９）、Ｓ１３段階以後の制御順番を進行する。
【００２１】
任意の発振時間が発振開始時間より大きくない場合、任意の発振時間が発振開始時間より小さいか否かを比べる（Ｓ４１）。任意の発振時間が発振開始時間より小さいと判断される場合、任意の発振時間をマグネトロン９の発振開始時間と一致するように長く調節する（Ｓ４３）。調節された任意の発振時間を基準発振時間に設定してから（Ｓ４５）、Ｓ１３段階の以後の制御順番を進行する。任意の発振時間が最初の発振時間と一致する場合には、設定された任意の発振時間を基準発振時間に設定して（Ｓ４７）マグネトロン９の発振開始時間と比べる次の段階を続いて行う。
【００２２】
以下、本発明の制御フローチャートである図２及び図３による波形図を示した図４に基づいて説明する。図面に示したように、基準発振時間と発振開始時間とを比べて基準発振時間より発振開始時間が小さいと判断される場合、マグネトロン９の発振動作を行ってから所定の時間が経過しなかった状態、即ち、ホット（Ｈｏｔ）状態では制御信号発生部２７で発生された制御信号のパルス幅を減らす。
【００２３】
マグネトロン９が製品を出荷してから初めての発振が行われる状態や所定の時間以上マグネトロン９を駆動しない状態、即ち、コールド（Ｃｏｌｄ）状態の場合、図３に示したように、制御部１５では任意の発振時間を発振開始時間と一致するように調節して基準発振時間に設定する。
【００２４】
【発明の効果】
以上説明したように、本発明によると、マグネトロンのフィラメントが一定の温度以上に加熱されている状態、即ち、ホット状態での一時的なサージ動作及びノイズ発生を減らすことができ、回路の安定性を向上させることができる電子レンジ及びその制御方法が提供される。
【図面の簡単な説明】
【図１】本発明による電子レンジの制御ブロック図である。
【図２】本発明による制御フローチャートである。
【図３】図２の基準発振時間を設定する段階での詳細な制御フローチャートである。
【図４】図４は本発明の制御順番に従う波形図である。
【図５】従来の電子レンジの制御ブロック図である。
【図６】従来の制御順番に従う波形図である。
【符号の説明】
１    電源供給部
３    整流平滑部
５    インバーター部
７    高圧変圧器
９    マグネトロン
１１  電源制御部
１３  電流検出部
１５  制御部
１７  発振部
１９  出力制御部
２１  共振検出部
２３  オン・オフスタート部
２５  Ｄ／Ａ変換部
２７  制御信号発生部
２９  カウンター
【図１】
0003625787.tif 000002
【図２】
0003625787.tif 000003
【図３】
0003625787.tif 000004
【図４】
0003625787.tif 000005
【図５】
0003625787.tif 000006
【図６】
0003625787.tif 000007